(57)【要約】【課題】簡単に本格的なパノラマ撮影が可能であると共にその現像・プリントを容易に行う。【解決手段】ズームレンズの後玉保持筒５に、ズームレンズの主点と一致する位置から光軸に直交する軸線上にピン５ａを設け、アパーチャ形成部材６の上下縁部に複数のアーム７の一端部を直交させて固着し、アーム７の他端部に設けたスロット７ａをピンと係合する。ズームレンズの焦点距離とアパーチャ形成部材によるフィルムの円弧状の半径とを一致させる。ピンにモータ９を結合する。ピンを変位して焦点距離を変更し、焦点距離に応じてフィルムの円弧形状の半径が変わり、焦点距離を半径として鏡胴２をスイングさせることにより、人間の自然の視野範囲（９０度）を含む写角や本格的なパノラマ撮影（１００〜１３０度）に相当する写角による撮影を容易に行うことができる。【選択図】      図２
2004287028.tif 000002
【特許請求の範囲】
【請求項１】
少なくとも複数の焦点距離を設定可能な焦点距離可変レンズと、前記焦点距離可変レンズの焦点距離を変更する焦点距離変更手段と、前記焦点距離可変レンズをパノラマ撮影範囲における横方向にスイングさせるレンズスイング手段と、フィルムの撮影面を円筒面の一部として保持するように可撓性部材からなるアパーチャ形成部材と、前記焦点距離変更手段による前記焦点距離の変更に応じて変化する前記焦点距離可変レンズの主点を中心としかつ前記焦点距離を半径とする円筒面に前記フィルムの撮影面を合わせるべく、前記焦点距離変更手段と前記アパーチャ形成部材との間に設けられたアパーチャ形成部材曲率変更手段とを有することを特徴とするパノラマ撮影可能なカメラ。
【請求項２】
前記焦点距離可変レンズがズームレンズであることを特徴とする請求項１に記載のパノラマ撮影可能なカメラ。
【請求項３】
前記アパーチャ形成部材曲率変更手段が、前記アパーチャ形成部材に一端部を固着された複数のアームと、前記主点と同軸をなすピンとを有し、
前記複数のアームの各他端部が前記アームの長手方向にスライド自在に前記ピンに係合していることを特徴とする請求項１または請求項２に記載のパノラマ撮影可能なカメラ。
【請求項４】
前記焦点距離の最も短い場合の第１の曲率半径で形成された固定側第１の曲率枠と、前記焦点距離の最も長い場合の第２の曲率半径で形成された固定側第２の曲率枠とを有し、かつ両前記曲率枠間で前記アパーチャ形成部材を変形自在に受容するように設けられた固定枠体と、
前記固定枠体に対して光軸方向に変位自在に設けられた可動枠体とを有し、
前記可動枠体が、前記固定側第１の曲率枠との間に前記アパーチャ形成部材を挟持するように配置されかつ前記第１の曲率半径で形成された可動側第１の曲率枠と、前記固定側第２の曲率枠との間に前記アパーチャ形成部材を挟持するように配置されかつ前記第２の曲率半径で形成された可動側第２の曲率枠とを有することを特徴とする請求項１乃至請求項３のいずれかに記載のパノラマ撮影可能なカメラ。
【請求項５】
前記フィルムが３５ｍｍフィルムであり、
前記レンズスイング手段によるスイング角度を前記３５ｍｍフィルムのフルフレームの幅に略一致させると共に、
前記フルフレーム全体を使用するフルフレーム撮影と、前記フルフレームの幅をパノラマ範囲とするパノラマ撮影とを選択する撮影選択手段を有し、
前記パノラマ撮影が選択された場合には前記焦点距離可変レンズの焦点距離を前記フルフレーム撮影時よりも短く設定することを特徴とする請求項１乃至請求項４のいずれかに記載のパノラマ撮影可能なカメラ。
【発明の詳細な説明】
【０００１】
【発明の属する技術分野】
本発明は、パノラマ撮影可能なカメラに関するものである。
【０００２】
【従来の技術】
従来、扱い易いコンパクトカメラにおいて、ズームレンズを搭載して多彩な撮影を行うことができるようにしたものがある。しかしながら、従来のズームレンズの場合には撮影対象の像をより大きく撮影できる方向であり、その結果、撮影範囲（写角）が狭くなっている。また、広角側の撮影に対しては、ユーザの要求もあり十分考慮されているが、レンズの光軸を固定したものでは広角側を大きくすることは不可能に近い。
【０００３】
それに対して、人間が両目を開けて自然に景色を見る状態での水平視野は写角換算でほぼ９０度である。したがって、従来のコンパクトカメラで、その広角側に設定して撮影したとしても、撮影者が自然に見た景色の写角に対して大きく狭まってしまい、部分的な撮影になって、思い通りの撮影をすることができないという問題があった。これは、従来のコンパクトカメラにあってはレンズの光軸を固定した状態で撮影する構造としており、レンズ設計上、上記した写角９０度に至る広角レンズの制作はコスト上困難であるためであった。
【０００４】
一方、コンパクトカメラにおいて、パノラマモードに切り換えてパノラマサイズの撮影を行うことができるようにしたものがある。しかしながら、そのパノラマ撮影は、プリントサイズがパノラマになるに過ぎず、写角は搭載されているレンズの広角範囲である。すなわち、そのようなコンパクトカメラにあっては、パノラマモードにするとフィルム上の撮影範囲を一般的な３５ｍｍフィルムのフルサイズの上下をマスクするなどして、フィルムのフルサイズ内に横長に撮影している。このようなフィルムの上下をマスクするものは、写角は例えば上記した６０度であって見た目だけパノラマサイズであり、パノラマカメラとは呼べない。また、コンパクトカメラよりは大型であって特殊なものではない一般的なカメラにおいても同様である。なお、このようにフルサイズに収めることにより、現像を一般の現像機で行うことができるため簡便であるという利点はある。
【０００５】
それに対して、カメラ本体を三脚上で回転させたり、レンズをスイング（光軸を水平方向に変位）させたりしてパノラマ撮影するようにしたパノラマ専用カメラがある。このようなカメラは、例えばフィルムの手前にスリットを設け、レンズのスイングに合わせてスリットもスイングさせてフィルム上に広写角の撮影を行うようにしており、本来のパノラマカメラと呼ぶことができる。なお、フィルムの撮影面がレンズの焦点距離を半径とする円筒面の一部を形成するようにフィルムをガイドしている。これにより、レンズのスイングに合わせて、レンズの焦点位置がフィルム面と常に一致し、焦点のぼけがないパノラマ撮影を行うことができるようになっている。
【０００６】
なお、上記先行技術は、文献公知発明に係るものではないため、記載すべき先行技術文献情報はない。
【０００７】
【発明が解決しようとする課題】
上記したパノラマ専用カメラにあっては、写角に合わせてフィルム上の撮影範囲を決めることができ、人間の視野以上の広角撮影も可能である。しかしながら、パノラマ専用カメラにおけるパノラマ撮影ではフィルムの上記フルサイズ内に撮影範囲が収まらず、そのフィルムの現像処理やプリント作成が、１駒ずつフルサイズ毎に現像・プリントする一般の現像プリント機には対応しないという問題がある。そのため、現像・プリントの依頼が面倒であり、気軽にパノラマ撮影することができず、パノラマ撮影の効果は認めてもパノラマカメラの普及には至っていない。
【０００８】
さらに、パノラマ専用カメラでは、固定レンズをスイングさせているものであり、従来の広角側のズーム撮影に対する要望を満たすことができていない。この広角側のズーム撮影の要望は強いものであるが、それを満たすズームカメラは提供されていなかった。
【０００９】
【課題を解決するための手段】
このような課題を解決して、簡単に本格的なパノラマ撮影が可能であると共にその現像・プリントを容易に行い得るパノラマ撮影可能なカメラを実現するために、本発明に於いては、少なくとも複数の焦点距離を設定可能な焦点距離可変レンズと、前記焦点距離可変レンズの焦点距離を変更する焦点距離変更手段と、前記焦点距離可変レンズをパノラマ撮影範囲における横方向にスイングさせるレンズスイング手段と、フィルムの撮影面を円筒面の一部として保持するように可撓性部材からなるアパーチャ形成部材と、前記焦点距離変更手段による前記焦点距離の変更に応じて変化する前記焦点距離可変レンズの主点を中心としかつ前記焦点距離を半径とする円筒面に前記フィルムの撮影面を合わせるべく、前記焦点距離変更手段と前記アパーチャ形成部材との間に設けられたアパーチャ形成部材曲率変更手段とを有するものとした。
【００１０】
これによれば、レンズの焦点距離を短くすることにより、その焦点距離を半径とするレンズのスイング半径が短くなるため、スイングによる円弧の長さを同一とすると、スイング角度が大きくなる。したがって、焦点距離可変レンズの焦点距離が比較的長い場合には例えば７０度のスイング角度とし、焦点距離が比較的短い場合には例えば１３０度のスイング角度とすることができる。そのため、人間の自然の視野範囲（９０度）を含む写角や本格的なパノラマ撮影（１００〜１３０度）に相当する写角による撮影を焦点距離可変レンズの焦点距離を変更することで簡単に行うことができる。
【００１１】
特に、前記焦点距離可変レンズがズームレンズであることによれば、人間の自然の視野範囲（９０度）を含むワイド撮影（７０〜１００度）や本格的なパノラマ撮影（１００〜１３０度）に相当する写角を無段階に設定して撮影することができる。
【００１２】
また、前記アパーチャ形成部材曲率変更手段が、前記アパーチャ形成部材に一端部を固着された複数のアームと、前記主点と同軸をなすピンとを有し、前記複数のアームの各他端部が前記アームの長手方向にスライド自在に前記ピンに係合していることによれば、ピンを変位させることによりアームのピンとアパーチャ形成部材との間の距離が変化し、その距離を半径とする円弧状にアパーチャ形成部材６を曲成することができるため、簡単に焦点距離に対応させた円弧形状にフィルム露光面を形成することができる。
【００１３】
また、前記焦点距離の最も短い場合の第１の曲率半径で形成された固定側第１の曲率枠と、前記焦点距離の最も長い場合の第２の曲率半径で形成された固定側第２の曲率枠とを有し、かつ両前記曲率枠間で前記アパーチャ形成部材を変形自在に受容するように設けられた固定枠体と、前記固定枠体に対して光軸方向に変位自在に設けられた可動枠体とを有し、前記可動枠体が、前記固定側第１の曲率枠との間に前記アパーチャ形成部材を挟持するように配置されかつ前記第１の曲率半径で形成された可動側第１の曲率枠と、前記固定側第２の曲率枠との間に前記アパーチャ形成部材を挟持するように配置されかつ前記第２の曲率半径で形成された可動側第２の曲率枠とを有すると良い。これによれば、焦点距離を最も短くして撮影する場合のアパーチャ形成部材の曲率を確実にその焦点距離に合わせた曲率にすることができると共に、焦点距離を最も長くして撮影する場合に対しても同様にアパーチャ形成部材の曲率を確実にその焦点距離に合わせた曲率にすることができる。これにより、焦点距離の変更に応じてアパーチャ形成部材を確実に適正状態に保持することができ、常にピントの合った撮影を行うことができる。
【００１４】
また、前記フィルムが３５ｍｍフィルムであり、前記レンズスイング手段によるスイング角度を前記３５ｍｍフィルムのフルフレームの幅に略一致させると共に、前記フルフレーム全体を使用するフルフレーム撮影と、前記フルフレームの幅をパノラマ範囲とするパノラマ撮影とを選択する撮影選択手段を有し、前記パノラマ撮影が選択された場合には前記焦点距離可変レンズの焦点距離を前記フルフレーム撮影時よりも短く設定すると良い。これによれば、汎用カメラで３５ｍｍフィルムを用いて撮影するのと同様に３５ｍｍフィルムに対するフルフレーム毎の撮影を行うことができ、フルフレーム撮影の場合にはそのフルフレーム内に人間の視野範囲（７０〜１００度）を撮影することができる。パノラマ撮影の場合には、さらに焦点距離を短くすることにより良いピントの得られる範囲の角度である包括角度がフルフレームの上下の長さよりも短くなるが、その焦点距離でフルフレームの幅一杯にレンズをスイングさせて撮影することにより、例えば上下１３ｍｍ×幅３６ｍｍという縦横比が約３倍となる横長の本格的なパノラマ撮影（１００〜１３０度）に相当する写角の写真を撮影することができる。このパノラマ撮影に対しても３５ｍｍフィルムのフルフレームへの撮影のため、現像・プリントを汎用の現像・プリント処理機で行うことができ、特別な処理を依頼する必要が無く、簡単に取り扱うことができる。また、同一フィルムの撮影中に上記フルフレーム撮影とパノラマ撮影との２仕様を切り換えることができ、撮影者の好みの写角を任意に撮影することができる。
【００１５】
【発明の実施の形態】
以下に添付の図面に示された具体例に基づいて本発明の実施の形態について詳細に説明する。
【００１６】
図１は、本発明が適用されたパノラマ撮影可能なカメラの全体を示す要部上面図であり、図２はズームレンズ部の要部分解組立斜視図である。カメラボディ１の中央部には所定の角度で左右にスイングするようにされた鏡胴２が設けられている。鏡胴２のカメラボディ１内側には、鏡胴２のスイングに応じて円弧状に位置するアパーチャ形成部材３が設けられている。鏡胴２内には焦点距離可変レンズとしてのズームレンズを構成する前玉３ａ・後玉３ｂの各レンズが設けられている。なお、図ではそれぞれ各１枚のレンズが示されているが、それぞれ複数枚のレンズで構成されていても良い。
【００１７】
鏡胴２内には、上記前玉３ａを保持する前玉保持筒４と、後玉３ｂを保持する後玉保持筒５とが光軸方向（矢印Ａ）に変位自在に受容されている。なお、各ガイド機構にあっては、市販のズームレンズの機構と同様であって良く、その図示を省略する。前玉保持筒４及び後玉保持筒５にはそれぞれピン４ａ・５ａが互いに平行に突設されている。それらピン４ａ・５ａは鏡胴２を貫通して鏡胴２の上方に突出している。また、後玉保持筒５の下面には、上記ピン５ａと同軸をなすピン５ｂが下方に向けて突設されている。このピン５ｂは鏡胴２を貫通して鏡胴２の下方に突出している。なお、鏡胴２には、各保持筒４・５と一体である各ピン４ａ・５ａ・５ｂの変位を可能にするための長さを有する各スロットが適所に設けられている。
【００１８】
後玉保持筒５のピン５ａには、図３に併せて示されるようにフィルム支持枠としてのアパーチャ形成部材６の上縁部に固着されたアパーチャ形成部材曲率変更手段としての複数のアーム７の各遊端部がまとめられて連結されている。アーム７の一端部はアパーチャ形成部材６の上縁部にフィルムの巻き取り方向に等ピッチ間隔で配設された固定ピンに固着され、アーム７の遊端部となる他端部には長手方向に所定長のスロット７ａが設けられている。各アーム７のスロット７ａにピン５ａが係合して、各アーム７の遊端部が１つにまとめられて、各アーム７がピン５ａを要とする扇形になるようにされている。なお、アパーチャ形成部材６の下縁部にも上縁部と同様に固定ピンが配設されており、各固定ピンに同じく固着された複数のアーム７の各遊端部のスロットが、後玉保持筒５の下部に突設されたピン５ｂに同様に連結されている。
【００１９】
前玉保持筒４のピン４ａと後玉保持筒５のピン５ａとには、焦点距離変更手段としてのＬ字形レバー８に設けられたガイドスロット８ａ・８ｂがそれぞれ係合している。Ｌ字形レバー８の長辺の端部は、カメラボディ１側に固設されたアクチュエータ１４のプランジャ１４ａにより回転自在にかつプランジャ１４ａの軸線方向には変位しないように支持されている。したがって、Ｌ字形レバー８をプランジャ１４ａの軸線回りに回動することにより、各ガイドスロット８ａ・８ｂの円弧運動に応じて各ピン４ａ・５ａが変位し、各保持筒４・５が変位してズームレンズのズーム率が変化する。
【００２０】
後玉保持筒５のピン５ａの突出端部には、レンズスイング手段としての鏡胴回転用モータ９の駆動軸が同軸的に結合されている。鏡胴回転用モータ９は、カメラの正対位置方向にズームレンズの光軸が向く方向にスライド可能にされている。例えば、鏡胴回転用モータ９のモータケースの底面に突条９ａが一体に形成され、カメラボディ１にはその正面方向に延びるガイド溝１ａが一体に形成されており、ガイド溝１ａに突条９ａがスライド可能に係合している。なお、鏡胴回転用モータ９のモータケースは、上記ガイド溝１ａを設けたフレーム１ｂにより変位自在に受容されている。
【００２１】
上記アクチュエータ１４によりプランジャ１４ａを上下動することにより、Ｌ字形レバー８が上下動する。そして、ピン４ａの長さが、下降位置のＬ字形レバー８のガイドスロット８ａにピン４ａの突出端部が突入した状態になり、上昇位置のＬ字形レバー８に対してはそのガイドスロット８ａからピン４ａの突出端部が離脱するように設定されている。なお、ピン５ａはガイドスロット８ｂから外れることはない。このようにすることにより、Ｌ字形レバー８を下げた状態ではＬ字形レバー８の回動により両ピン４ａ・５ａが変位し、Ｌ字形レバー８を上げた状態ではピン５ａをモータ９により回転させた場合にピン４ａとガイドスロット８ａとの干渉を回避することができる。
【００２２】
アパーチャ形成部材６は可撓性の矩形枠形状に形成されている。そのアパーチャ形成部材６の矩形枠の上縁部及び下縁部にはそれぞれ同数ずつの複数のブロック６ａがフィルム１１の巻き取り方向（図の矢印Ｂ）に等ピッチに配設されかつ一体化されている。各ブロック６ａには、上側では上方に突出し、下側では下方に突出する各ピン６ｂがそれぞれ設けられている。そして、アパーチャ形成部材６を平面状に伸ばした状態におけるその平面に対してアーム７が直角に延出するように、各ピン６ｂに各アーム７の一端部が固着されている。そして、上下の各ブロック６ａにはアーム７延出方向とは相反する向きに突出する段部がそれぞれ設けられており、フィルム１１は、アパーチャ形成部材６のズームレンズに対して裏側にて上下の各ブロック６ａの段部間にガイドされるようになっている。
【００２３】
上記したようにアパーチャ形成部材６に各アーム７が一体化されていることから、各アームの他端部である遊端部に設けられた各スロット７ａにピン５ａを係合させることにより、各アーム７が扇形になる。それによりアパーチャ形成部材６が円筒面の一部（所定の任意角度範囲）を形成するようになり、そのアパーチャ形成部材６により位置決めされるフィルム１１の撮影面も円筒面の一部を形成する形状（円弧面）となる。
【００２４】
また、アパーチャ形成部材６の図１における左右両側部近傍には、フィルム１１をガイドするガイドローラ１５がそれぞれ配設されている。これら各ガイドローラ１５は、Ｌ字形レバー８の回動（図２の矢印Ｃ）に合わせて図示されないカム機構によりアパーチャ形成部材６の変形に対応して変位するようにされている。なお、フィルム装填時には例えば裏蓋の開扉に連動して図１の想像線に示される位置まで後退し、フィルム１１の装填に邪魔にならないようにされている。
【００２５】
次に、このようにして構成されたパノラマ撮影可能なカメラにおける撮影要領を示す。本パノラマ撮影可能なカメラにあっては、例えば写角７０〜１３０度でのスーパーワイド及びパノラマ撮影が可能である。そのためにはズームレンズの焦点距離の変更範囲を１５〜３０ｍｍのものを使用することができる。これらの各値は、一例であり、限定するものではない。
【００２６】
まずスーパーワイド撮影について示す。このスーパーワイド撮影としては写角７０〜１００度であって良く、写角７０度の撮影を行う場合には図４に示される位置にＬ字形レバー８を位置させる。このＬ字形レバー８の回動は、手動で行うものであって良く、また図示されないアクチュエータを用いて自動的に行うようにしても良い。本図示例では手動として、以下説明する。
【００２７】
図３に示されるようにＬ字形レバー８の任意の位置に操作ノブ８ｃが設けられており、操作ノブ８ｃの頭部がカメラボディ１の上面の外方に露出するようにされている。その操作ノブ８ｃを手で操作して、Ｌ字形レバー８を枢支軸１ａ回りに回動させることにより、Ｌ字形レバー８のガイドスロット８ａ・８ｂと各ピン４ａ・５ａのスライド軌跡（両保持筒４・５の伸縮方向変位）との交点の位置が変化して、各保持筒４・５の位置が変化する。
【００２８】
なお、後玉保持筒５をズームレンズの焦点距離１５〜３０ｍｍに合わせて１５ｍｍの範囲で変位させ、その後玉保持筒５の位置に対応させて前玉保持筒４の位置を変化させるように、各ガイドスロット８ａ・８ｂの形状を設定している。また、後玉保持筒５のピン５ａの位置は、ズームレンズの主点と一致しかつズームレンズの光軸と直交する軸線上にある。
【００２９】
図４（ａ）は写角７０度の撮影状態を示しており、この場合のズームレンズの焦点距離は３０ｍｍとなる。また、図４（ｂ）は写角１３０度の撮影状態を示しており、この場合のズームレンズの焦点距離は１５ｍｍとなる。なお、鏡胴２に対する各保持筒４・５のスライド機構の摩擦力を適度なものにしておくことにより、各保持筒４・５の変位及び任意の位置での停止状態の保持が可能である。これにより、Ｌ字形レバー８の無段階の回動操作により、写角７０〜１３０度の設定を無段階にかつ簡単に行うことができる。
【００３０】
上記各ブロック６ａの内、アパーチャ形成部材６のフィルム巻き取り方向中間点に位置するものがカメラボディ１側に固定されている。したがって、固定された部分のアーム７はカメラの正対方向に延在し、その固定アーム７のスロット７ａ内をピン５ａが変位し得る。ピン５ａの変位により、各アーム７のスロット７ａとピン５ａとの係合位置が移るため、アーム７のアパーチャ形成部材６側固定端とピン５ａの係合位置との距離が変化する。この距離はアパーチャ形成部材６の円弧の半径に対応するため、ピン５ａの変位に応じてフィルム１１の曲率半径が変化することになる。ピン５ａの位置は上記したようにズームレンズの主点であり、その主点を中心とした半径でフィルム１１の曲率半径が変化するようになっている。
【００３１】
本パノラマ撮影可能なカメラにおける撮影方式は、従来の本格的パノラマカメラで行っているレンズをスイングさせるものであって良い。図示例では、鏡胴２をモータ９によりスイングさせる。モータ９は上記したようにモータケースに設けられた突条９ａをカメラボディ１側のガイド溝１ａに係合させていることから、モータ９による回転トルクはピン５ａに伝達され、後玉保持筒５を介して鏡胴２がズームレンズの主点となるピン５ａを回転中心として回転し得る。
【００３２】
モータ９の回転制御はモータ駆動制御回路１２のプログラム制御によるものであって良い。例えば、モータ９を回転角度センサ内蔵モータとすることにより、モータ９を任意の角度範囲で回転させる制御を容易に行うことができる。また、Ｌ字形レバー８の回動位置を検出する位置センサ１３を設け、Ｌ字形レバー８の位置（ピン５ａの位置）に基づく焦点距離に応じたスイング角度（写角）を制御回路１２内のメモリに予め記憶しておく（例えばスイング角度を焦点距離の関数とする。）。例えば、鏡胴２の待機位置（非撮影時）をカメラの正対位置としておき、シャッターボタンを押すことにより、その時のＬ字形レバー８の位置に応じたスイング角度（写角）の左右いずれか一方のスイング端に鏡胴２をスイングさせ、その位置から他方のスイング端まで鏡胴２をスイングさせるようにモータ９を回転させ、その後モータ９を逆転させて鏡胴２を待機位置に戻すことができる。
【００３３】
鏡胴２のフィルム１１側端面には、レンズを通過した光を通す上下方向スリット２ａが設けられている。ピン５ａからスリット２ａまでの長さはアパーチャ形成部材６の曲率半径よりも若干短くされており、スリット２ａがフィルム１１のアパーチャ形成部材６の枠内に臨む露光面の直ぐ近くに位置するようにされている。図示されないシャッターボタンを押すことによりモータ９が回転し、鏡胴２のスイングに応じてスリット２ａを通過した線状の光がフィルム１１上を横切り、フィルム１１が露光される。
【００３４】
本パノラマ撮影可能なカメラにあっては、Ｌ字形レバー８の操作に応じて鏡胴２の回転中心（ピン５ａ）位置が移動すると、アパーチャ形成部材６の曲率半径が変化するため、鏡胴２のスイングによるスリット２ａの軌跡（円弧）とアパーチャ形成部材６の曲率半径とが常に対応し得る。この鏡胴２の回転半径は焦点距離であることから、鏡胴２がその回転半径を変えてスイングしても、そのスイング範囲において常にフィルム１１上に合焦させることができる。
【００３５】
また、入手容易な３５ｍｍフィルムの標準仕様の撮影サイズであるフルフレーム（２４×３６ｍｍ）の横方向長さ（３６ｍｍ）に対して、焦点距離を短くして鏡胴２の回転半径を短くすることにより、そのフルフレームの横方向長さ一杯に撮影する場合のスイング角度を大きくすることができる。すなわち、写角を広げることができる。
【００３６】
具体的には、焦点距離３０〜２０ｍｍに対応する範囲に前玉３ａ・後玉３ｂを位置させた場合には写角７０〜１００度の超広角（スーパーワイド）撮影が可能になり、焦点距離２０〜１５ｍｍの場合には写角１００〜１３０度のパノラマ専用機と同等の本格的パノラマ撮影が可能になった。なお、スーパーワイド撮影領域では３５ｍｍフィルムのフルフレーム（図５の実線の枠内）全体が露光され、パノラマ撮影領域ではフルフレームの幅（横方向長さ）一杯を使用し、上下（縦方向長さ）が短くなったパノラマフレームで露光される。パノラマフレームとしては、図５の想像線で示されるようになり、例えば上下１５ｍｍ×幅３６ｍｍであって良い。
【００３７】
上記スーパーワイド撮影領域は人間の自然な両目での視野範囲に相当する。したがって、その写角範囲（７０度〜１００度）で撮影することにより、撮影者の見た景色と同様の視野範囲を撮影することができるため、撮影者がプリントされたものを見て満足する結果が得られる。
【００３８】
また、上記パノラマ撮影領域では、従来例で示したコンパクトカメラに用いられている上下をマスクして印画紙だけ横長にした疑似パノラマ（この場合の写角は６０度程度）ではなく、写角が１００〜１３０度となる本来のパノラマサイズで撮影される。このパノラマサイズにおいて上下方向長さが短くなるのは、写角を１００度以上にするズームレンズの設定ではフィルムにレンズが近づいて焦点距離が短くなることによりイメージサークルが小さくなるため、３５ｍｍフィルムの上下幅に対して合焦範囲が狭くなるためである。これにより、フィルムの上下を除いた中間部分が露光され、自然にパノラマサイズの状態でフィルム１１上に撮影することができる。
【００３９】
なお、フィルム１１上には一般消費者の標準サイズとして用いられている３５ｍｍフィルムのフルフレームのサイズが１駒として撮影されているため、特別な現像・プリント処理機を用いることなく、汎用の現像・プリント処理機により簡単に現像・プリントを行うことができる。
【００４０】
焦点距離可変レンズとしては、上記図示例のズームレンズに限定されるものではなく、複数の焦点距離を設定可能なものであれば良く、例えば前玉及び後玉間に屈折率の異なる光学部材を挿抜可能にした撮影レンズを用いても良い。
【００４１】
また、焦点距離の変更に応じてアパーチャ形成部材６の曲率半径を変更する場合にアパーチャ形成部材６の形状をより確実に適正状態に保持すると良く、そのためのアパーチャ固定補強枠構造について図６〜図８を参照して以下に示す。図６では、アパーチャ形成部材６の中央に設けられた固定ピン６ｃと幅方向両端に設けられた各可動ピン６ｄとを代表して示しており、上記図示例と同様に設けられている他のピン６ｂについては図示省略している。このアパーチャ固定補強枠構造は、平面視で図７（ａ）に示される形状に形成されかつカメラボディ１に固設された固定枠体２１と、平面視で図７（ｂ）に示される形状に形成されかつ上記Ｌ字形レバー８の揺動に応じて光軸方向に平行移動するように設けられた可動枠体２２とからなる。
【００４２】
固定枠体２１には、平面視で、アパーチャ形成部材６の最も焦点距離の短い（１５ｍｍ）場合の第１の曲率半径で形成された円弧状の固定側第１の曲率枠２１ａと、アパーチャ形成部材６の最も焦点距離の長い（３０ｍｍ）場合の第２の曲率半径で形成された円弧状の固定側第２の曲率枠２１ｂとが設けられ、両枠２１ａ・２１ｂの中央間距離が固定ピン６ｃの直径となっている。また、固定側第１の曲率枠２１ａが鏡胴２側に配置され、両枠２１ａ・２１ｂの両端が、アパーチャ形成部材６の変形に応じた各可動ピン６ｄの軌跡（図の矢印の向き）に合わせた形状の各ガイド枠２１ｃにより閉じられている。この固定枠体２１により、図７（ａ）の想像線に示されるようにアパーチャ形成部材６が変形自在に受容されている。なお、固定枠体２１にあっては、アパーチャ形成部材６の上下に図７（ａ）で示される同一形状のものが配置されており、それらがフィルム装填に邪魔にならない位置に設けられた上下方向柱部（図示せず）を介して一体に形成されているものであって良い。
【００４３】
可動枠体２２には、平面視で、上記第１の曲率半径で形成された円弧状の可動側第１の曲率枠２２ａと、上記第２の曲率半径で形成された円弧状の可動側第２の曲率枠２２ｂとが設けられ、両枠２２ａ・２２ｂの中央間距離が焦点距離の変更可能範囲（図示例では１５ｍｍ）となっている。また、可動側第２の曲率枠２２ｂが鏡胴２側に配置され、両枠２２ａ・２２ｂの両端が、アパーチャ形成部材６の変形に応じた各可動ピン６ｄの軌跡（図の矢印の向き）に合わせた形状の各ガイド枠２２ｃにより閉じられている。可動枠体２２にあっても、図７（ｂ）の想像線に示されるようにアパーチャ形成部材６を変形自在に受容すると共に、上下に同一に設けられかつ上下方向柱部（図示せず）を介して一体に形成されているものであって良い。なお、図７（ｂ）ではアパーチャ形成部材６の固定ピン６ｃが変位しているように示されているが、これは相対的な動きを示したものであり、実際は固定ピン６ｃが不動で可動枠体２２が変位する。
【００４４】
そして、焦点距離が最も短い状態で撮影するモードが選ばれた場合には図６に示されるように上記固定側第１の曲率枠２１ａと可動側第１の曲率枠２２ａとの間にアパーチャ形成部材６を光軸方向に挟持し、焦点距離が最も長い状態で撮影するモードが選ばれた場合には図８に示されるように上記固定側第２の曲率枠２１ｂと可動側第２の曲率枠２２ｂとの間にアパーチャ形成部材６を光軸方向に挟持するように、固定枠体２１に対して可動枠体２２が配設されている。なお、図６の状態からは図の矢印に示される方向に可動枠体２２を変位させることにより図８の状態に至り、図８の状態からはその図の矢印に示される方向に可動枠体２２を変位させることにより図６の状態に至る。
【００４５】
これにより、各モードでアパーチャ形成部材６がそれぞれの曲率半径に合わせた枠で挟持されるため、焦点距離に応じた曲率半径でアパーチャ形成部材６が固定される。したがって、アパーチャ形成部材６を焦点距離の変更に応じて変形するようにしても、常にピントの合った鮮明な映像で撮影することができる。
【００４６】
なお、中間の焦点距離にした場合には、アパーチャ形成部材６は両枠体２１・２２により挟持された状態にはならないが、その場合であっても、両ガイド枠２１ｃ・２２ｃに可動ピン６ｄがガイドされ、かつアパーチャ形成部材６にあっては自身の可撓性により伸びようとするため、可動ピン６ｃがガイド枠２１ｃに押し当てられた状態になる。したがって、中間の位置でも固定ピン６ｃと両可動ピン６ｄとの３点支持による安定した状態となり得るため、何ら問題が生じることがない。
【００４７】
なお、図９に示されるように、固定ピン６ｃは固定枠体２１に挿入固定され、可動ピン６ｄは、図１０（ａ）・（ｂ）に示されるように小径突出ピン部６ｅを有する。この小径突出ピン部６ｅは、固定枠体２１のガイド枠２１ｃに沿って設けられたガイド溝２１ｄに没入しており、ガイド枠２１ｃと平行にガイドされるようになっている。これにより、可動ピン６ｄがアパーチャ６の曲率半径の変化に合わせた軌跡で確実に変位し得るため、アパーチャ６の中間の曲率半径に確実に対応し得る。
【００４８】
【発明の効果】
このように本発明によれば、焦点距離可変レンズの焦点距離を変更して、その焦点距離を半径としてレンズをスイングさせることから、焦点距離に応じてフィルムの円弧形状の半径を変えることにより、フィルムの一定の範囲に対して写角（スイング角度）を変えることができるため、人間の自然の視野範囲（９０度）を含む写角や本格的なパノラマ撮影（１００〜１３０度）に相当する写角による撮影を容易に行うことができる。特に、ズームレンズを用いることにより、人間の自然の視野範囲（９０度）を含むワイド撮影（７０〜１００度）や本格的なパノラマ撮影（１００〜１３０度）に相当する写角を無段階に設定して撮影することができる。
【００４９】
また、アパーチャ形成部材に一端部を固着された複数のアームの各他端部をアームの長手方向にスライド自在にピンに係合することにより、ピンを変位させることによりアパーチャ形成部材の円弧形状の曲率半径を変えることができるため、簡単に焦点距離に対応させた円弧形状にフィルム露光面を形成することができる。
【００５０】
さらに、焦点距離の最短及び最長状態でアパーチャ形成部材を固定枠と可動枠とにより挟持することにより、各焦点距離においてアパーチャ形成部材の曲率を確実にその焦点距離に合わせた曲率にすることができる。これにより、焦点距離の変更に応じてアパーチャ形成部材を確実に適正状態に保持することができ、常にピントの合った撮影を行うことができる。
【００５１】
また、３５ｍｍフィルムを用い、レンズのスイング角度を３５ｍｍフィルムのフルフレームの幅に略一致させることにより、汎用カメラで３５ｍｍフィルムを用いて撮影するのと同様に３５ｍｍフィルムに対するフルフレーム毎の撮影を行うことができる。フルフレーム撮影の場合にはそのフルフレーム内に人間の視野範囲（７０〜１００度）を撮影することができる。パノラマ撮影の場合には、さらに焦点距離を短くすることにより良いピントの得られる範囲の角度である包括角度がフルフレームの上下の長さよりも短くなるが、その焦点距離でフルフレームの幅一杯にレンズをスイングさせて撮影することにより、例えば上下１３ｍｍ×幅３６ｍｍという縦横比が約３倍となる横長の本格的なパノラマ撮影（１００〜１３０度）に相当する写角の写真を撮影することができる。このパノラマ撮影に対しても３５ｍｍフィルムのフルフレームへの撮影のため、現像・プリントを汎用の現像・プリント処理機で行うことができ、特別な処理を依頼する必要が無く、簡単に取り扱うことができる。また、同一フィルムの撮影中に上記フルフレーム撮影とパノラマ撮影との２仕様を切り換えることができ、撮影者の好みの写角を任意に撮影することができるため、パノラマ撮影専用機と同等のパノラマ撮影が可能であるばかりでなく、フルフレームサイズの撮影も可能であるなど、より広範な撮影を容易に行うことができる。
【図面の簡単な説明】
【図１】本発明が適用されたパノラマ撮影可能なカメラの全体を示す要部上面図。
【図２】ズームレンズ部の要部分解組立斜視図。
【図３】アパーチャ形成部材を示す要部拡大斜視図。
【図４】（ａ）は写角７０度に設定した状態におけるＬ字形レバーの位置及び鏡胴のスイング角度を示す要部平面図であり、（ｂ）は写角１３０度に設定した状態における（ａ）に対応する図。
【図５】３５ｍｍフィルムのフルフレームに対する撮影範囲を示す説明図。
【図６】焦点距離が最も短い場合の固定枠及び可動枠の位置を示す平面図。
【図７】（ａ）は固定枠の平面視での形状を示す図であり、（ｂ）は可動枠の平面視での形状を示す図。
【図８】焦点距離が最も長い場合の固定枠及び可動枠の位置を示す平面図。
【図９】図６の矢印ＩＸ−ＩＸ線に沿って見た模式的断面図。
【図１０】（ａ）は図６の矢印Ｘ−Ｘ線に沿って見た模式的断面図であり、（ｂ）は（ａ）の矢印Ｘｂ−Ｘｂ線に沿って見た部分断面図。
【符号の説明】
１  カメラボディ、１ａ  ガイド溝、１ｂ  フレーム
２  鏡胴
３ａ  前玉、３ｂ  後玉
４  前玉保持筒、４ａ  ピン
５  後玉保持筒  ５ａ  ピン、５ｂ  ピン
６  アパーチャ形成部材、６ａ  ブロック、６ｂ  ピン
７  アーム、７ａ  スロット
８  Ｌ字形レバー、８ａ・８ｂ  ガイドスロット
９  モータ、９ａ  突条
１１  フィルム
１２モータ駆動制御回路
１３  位置センサ
１４  アクチュエータ、１４ａ  プランジャ
１５  ガイドローラ
２１  固定枠体
２２  可動枠体
【図１】
2004287028.tif 000003
【図２】
2004287028.tif 000004
【図３】
2004287028.tif 000005
【図４】
2004287028.tif 000006
【図５】
2004287028.tif 000007
【図６】
2004287028.tif 000008
【図７】
2004287028.tif 000009
【図８】
2004287028.tif 000010
【図９】
2004287028.tif 000011
【図１０】
2004287028.tif 000012